(57)【要約】【課題】  従来のような洗髪装置と椅子とが分離されているものにあっては、椅子の高さ調整と洗髪装置の高さ調整を同期して行う必要があるため、調整作業が面倒であるという問題があり、また、高さ調整を行ったとしても背凭れを寝かせる途中で被洗髪者が前後方向に移動した場合には、首後ろ部と首受け部との位置がズレてしまうといった問題があった。【解決手段】  昇降手段２によって昇降可能に取付けられた補助椅子部材３と、該補助椅子部材の先端に取付けられたシャンプーボール４と、前記補助椅子部材上に取付けられた座部５３と、該座部に対して起伏自在に取付けられた背凭れ５６と、該背凭れの先端に取付けられた枕部材６とより構成した理美容用椅子である。【選択図】        図１
2006061521.tif 000002
【特許請求の範囲】
【請求項１】
昇降手段によって昇降可能に取付けられた補助椅子部材と、該補助椅子部材の先端に取付けられたシャンプーボールと、前記補助椅子部材上に取付けられた座部と、該座部に対して起伏自在に取付けられた背凭れと、該背凭れの先端に取付けられた枕部材とより構成したことを特徴とする理美容用椅子。
【請求項２】
前記枕部材は、被洗髪者の首後ろ部を支持する頸部支持部で構成されていることを特徴とする請求項１記載の理美容用椅子。
【請求項３】
前記枕部材は、被洗髪者の首後ろ部を支持する頸部支持部と、該頸部支持部に一体的に取付けられた被洗髪者の後頭部を支持する頭部支持部とから構成されていることを特徴とする請求項１記載の理美容用椅子。
【請求項４】
前記枕部材は、前記背凭れに対して摺動、かつ、固定可能に支持され上下動板に対して揺動自在に取付けられていることを特徴とする請求項１乃至３に記載の理美容用椅子。
【請求項５】
昇降手段によって昇降可能に取付けられた補助椅子部材と、該補助椅子部材の先端に取付けられたシャンプーボールと、前記補助椅子部材上に取付けられた座部と、該座部に対して起伏自在に取付けられた背凭れと、該背凭れの先端に上下動自在に取付けられた枕部材と、該枕部材の前記背凭れに対する高さ調整を行った調整量に比例して前記座部とシャンプーボールの相対位置関係を調整して前記枕部材を前記シャンプーボールの所定の位置に位置決めするための制御手段とから構成したことを特徴とする理美容用椅子。
【請求項６】
前記座部とシャンプーボールの相対位置関係の調整は、少なくとも前記背凭れの伏倒が開始される前記制御手段によって行われることを特徴とする請求項５記載の理美容用椅子。
【請求項７】
前記座部とシャンプーボールの相対位置関係の調整は、座部が補助椅子部材に対して前後動することで行われることを特徴とする請求項５記載の理美容用椅子。
【請求項８】
前記座部とシャンプーボールの相対位置関係の調整は、前記シャンプーボールが補助椅子部材に対して前後動することで行われることを特徴とする請求項５記載の理美容用椅子。
【請求項９】
前記座部とシャンプーボールの相対位置関係の調整は、座部が補助椅子部材に対しての前後動と、前記シャンプーボールが補助椅子部材に対しての前後動とで行われることを特徴とする請求項５記載の理美容用椅子。
【発明の詳細な説明】
【技術分野】
【０００１】
本発明は、椅子に被洗髪者を仰向けで寝かせた状態で洗髪するための理美容用椅子において、椅子の背凭れに枕部材を取付けると共にシャンプーボールを前記椅子に一体的に取付け、洗髪時に被洗髪者の首後ろ部を乗せた状態で洗髪が行えるようにした理美容用椅子に関する。
【背景技術】
【０００２】
従来、理美容院において被洗髪者を椅子に仰向けに寝かせて洗髪を行う場合、施術用の椅子から洗髪用の椅子、例えば、特開２００２−１０２００１の公開公報に開示されているような椅子に移動し、首後ろ部をシャンプーボールの首受け部に乗せて行うことが一般的であった。この公開公報の発明は、洗髪装置と椅子とから構成され、洗髪装置および椅子にそれぞれ高さ調整を行うための昇降手段が内蔵されたものである。
【０００３】
そして、洗髪者が椅子に座った状態において、洗髪者の身長に合わせて椅子および洗髪装置の高さ昇降手段を制御して、被洗髪者の首後ろ部がシャンプーボールの首受け部にフィットするように調整し、その後に洗髪作業を行うというものであった。
【特許文献１】特開２００２−１０２００１
【発明の開示】
【発明が解決しようとする課題】
【０００４】
ところで、前記した従来のような洗髪装置と椅子とが分離されているものにあっては、椅子の高さ調整と洗髪装置の高さ調整を同期して行う必要があるため、調整作業が面倒であるという問題があり、また、高さ調整を行ったとしても背凭れを寝かせる途中で被洗髪者が前後方向に移動した場合には、首後ろ部と首受け部との位置がズレてしまうといった問題があった。
【０００５】
本発明は前記した問題点を解決せんとするもので、その目的とするところは、椅子の一部にシャンプーボールを一体的に取付け、また、起伏する背凭れに前もって首受け部を取付けておくことにより、背凭れを寝かせる途中において被洗髪者の首後ろ部と枕部材との間にズレが生じることがなく、従って、寝かせた状態において枕部材がシャンプーボールの首受け部に一致する理美容用椅子を提供せんとするにある。
【課題を解決するための手段】
【０００６】
本発明の理美容用椅子は前記した目的を達成せんとするもので、請求項１の手段は、昇降手段によって昇降可能に取付けられた補助椅子部材と、該補助椅子部材の先端に取付けられたシャンプーボールと、前記補助椅子部材上に取付けられた座部と、該座部に対して起伏自在に取付けられた背凭れと、該背凭れの先端に取付けられた枕部材とより構成したものである。
【０００７】
請求項２の手段は、前記した請求項１において、前記枕部材が被洗髪者の首後ろ部を支持する頸部支持部で構成されている。
【０００８】
請求項３の手段は、前記した請求項１において、前記枕部材が、被洗髪者の首後ろ部を支持する頸部支持部と、該頸部支持部に一体的に取付けられた被洗髪者の後頭部を支持する頭部支持部とから構成されている。
【０００９】
前記した請求項４の手段は、前記した請求項１乃至３において、前記枕部材が、前記背凭れに対して摺動、かつ、固定可能に支持され上下動板に対して揺動自在に取付けられているものである。
【００１０】
請求項５の手段は、昇降手段によって昇降可能に取付けられた補助椅子部材と、該補助椅子部材の先端に取付けられたシャンプーボールと、前記補助椅子部材上に取付けられた座部と、該座部に対して起伏自在に取付けられた背凭れと、該背凭れの先端に上下動自在に取付けられた枕部材と、該枕部材の前記背凭れに対する高さ調整を行った調整量に比例して前記座部とシャンプーボールの相対位置関係を調整して前記枕部材を前記シャンプーボールの所定の位置に位置決めするための制御手段とから構成したものである。
【００１１】
請求項６の手段は、前記した請求項５において、前記座部とシャンプーボールの相対位置関係の調整は、少なくとも前記背凭れの伏倒が開始される前記制御手段によって行われるものである。
【００１２】
請求項７の手段は、前記した請求項５において、前記座部とシャンプーボールの相対位置関係の調整は、座部が補助椅子部材に対して前後動することで行われるものである。
【００１３】
請求項８の手段は、前記した請求項５において、前記座部とシャンプーボールの相対位置関係の調整は、前記シャンプーボールが補助椅子部材に対して前後動することで行われるものである。
【００１４】
請求項９の手段は、前記した請求項５において、前記座部とシャンプーボールの相対位置関係の調整は、座部が補助椅子部材に対しての前後動と、前記シャンプーボールが補助椅子部材に対しての前後動とで行われるものである。
【発明の効果】
【００１５】
本発明は前記したように、昇降可能な補助椅子部材にシャンプーボールを取付け、また、補助椅子部材に枕部材を取付けた背凭れを有する椅子を取付けたことにより、被洗髪者を椅子に座らせて枕部材に後ろ首部を一致させた状態で背凭れを伏倒することで、枕部材はシャンプーボールの首受け部に一致することにより、被洗髪者の首部がシャンプーボールの首受け部にフィットした状態となって、熟練を要することなく洗髪作業を迅速に行うことができる。
【００１６】
また、枕部材に、少なくとも被洗髪者の首後ろ部を支持する頸部受け部を取付けたことにより、被洗髪者の首後ろ部を支持して安定、かつ、安楽な姿勢で洗髪を受けることができ、また、被洗髪者の後頭部も頭部支持部で受けるようにすることで、より洗髪姿勢が安定すると共に被洗髪者の頸部に無理な力を与えることがなく、疲労感を与えることがない。また、枕部材は、背凭れに対して摺動、かつ、固定可能に支持な上下動板に対して揺動自在に取付けることで頭部が枕部材に対してフィットし、洗髪姿勢がより安定状態になって首に係る負荷を軽減することができる。
【００１７】
また、枕部材を被洗髪者の座高に合わせて上下動させて頭部と枕部材とをフィットさせ、かつ、枕部材を上下動させた分だけ椅子またはシャンプーボールあるいは両者を前後動させて、背凭れの伏倒時に枕部材がシャンプーボールの首受け部に一致するようにしたので、洗髪までの作業が非常に簡単に行える等の効果を有するものである。
【発明を実施するための最良の形態】
【００１８】
本発明は、椅子の一部にシャンプーボールを一体的に取付け、また、前記椅子における背凭れに枕部材を取付けたものである。
【実施例１】
【００１９】
次に、本発明の理美容用椅子の第１の実施例を図１〜図６と共に説明する。
図において、１は床面に設置される基台、２は基台１に一端が軸支され、他端が補助椅子部材３の基板３１に軸支され、内部に図示しない油圧シリンダと平行リンクが内蔵された昇降手段である。そして、油圧シリンダに油を注入すると平行リンクが起立して補助椅子部材３が水平状態で上昇し、油を排出すると下降する構造となっている。
【００２０】
補助椅子部材３の前記基板３１の後端側（図において右側）にはシャンプーボール４が取付けられ、該シャンプーボール４の排水口４１よりの排水管４１ａおよび図５に示すシャワーヘッド４２に図示しないホースを介して接続される水栓４３よりの温水管４３ａは、補助椅子部材３の下面を覆う目隠し板３２内から、前記昇降手段２の油圧シリンダおよび平行リンクを覆う覆い板内を介して基台１から床下に配管されている図示しない排水パイプ、温水パイプに接続されている。なお、４５は後述する枕部材５の上下動板６１の部分を受ける凹部である。
【００２１】
前記基板３１の先端側（図において左側）左右には２つのコロ５１が取付けられ、該コロ５１にガイドされ前後動可能に取付けられたガイド部材５２に座部５３が固定された椅子５が取付けられている。この椅子５における座部５３の裏面側からステップ５４が垂下状態で取付けられ、また、座部５３の後端側にはリンク５５を介して起伏自在に背凭れ５６が取付けられている。
【００２２】
そして、前記ガイド部材５２には一端が前記リンク５５に軸支された背凭れ用油圧シリンダ５８の他端が軸支され、また、一端が前記基板３１に軸支された座部用油圧シリンダ５７の他端に軸支されている。
【００２３】
このように構成された椅子５は、座部用油圧シリンダ５７に油が供給されると座部５３は基板３１に対して前方に移動し、油が排出されると図示しないスプリングのバネ力によって後方に移動する。また、背凭れ用油圧シリンダ５８に油を供給するとリンク５５を反時計方向に回動させて背凭れ５６が起立し、油が排出されると図示しないスプリングのバネ力によってリンク５５を時計方向に回動させて伏倒状態となる。
【００２４】
前記椅子５における背凭れ５６の心材５６ａには、後述する枕部材６の上下動板６１をある程度摩擦力をもって上下動可能に支持する支持部材５９が内蔵されており、この支持部材５９内には上下動板６１の上下動移動量を検出する図６に示す枕高さ検出手段５９ａ（例えば、上下動板６１の長手方向に多数のスリットを形成し、該スリット部分を挟んで透過型のホトセンサを配置し、該ホトセンサがスリットの数を計数することで移動量を検出するもの等）が内蔵されている。
【００２５】
次に、枕部材６の詳細を図５〜図７と共に説明するに、前記上下動板６１の上端に形成された突片６１ａに回動自在に軸支された側面Ｌ字状に形成された頸部支持部６２と頭部支持部６３とから形成されている。
【００２６】
前記頸部支持部６２は上面が湾曲部となっており被洗髪者の首後ろ部を支持するのに適した形状となっている。また、該湾曲部にはジェルや発泡材等を革や合成樹脂等のシートで覆ったクッション材６２ａが取付けられている。また、頭部支持部６３は前記頭部支持部６２から２本のアームが突出し、頭部を２か所で支持する形状となっており、該アームの上面にはジェルや発泡材等を革や合成樹脂等のシートで覆ったクッション材６３ａが取付けられている。前記頸部支持部６２の湾曲最下部と頭部支持部６３の上面とは、頸部支持部６２が垂直状態にある時に略同一平面になるように構成されている。
【００２７】
次に、枕部材６を背凭れ５６に対して高さ調整を行った場合に、座部５８を前方に前記高さ調整を行った移動量に比例して移動させ、枕部材６がシャンプーボール４における首受け部４５の所定位置にセットするための制御手段を図８と共に説明する。
【００２８】
制御手段７は、枕部材６を背凭れ５６に対して最下降位置まで下げた位置を基準点とし、該基準点から枕部材６を引き上げた移動量を検出する前記した枕高さ検出手段５９ａと、図１〜図４に開示していないが、座部５３を最後方に移動した位置を基準点とし、該基準点から座部５３を前方に移動した移動量を、例えば、座部用油圧シリンダ５７のピストンの吐出量を検出する座部位置検出手段７１と、枕部材６の移動量に対して座部５３をどの程度前進させることで、上下動板６１に取付けられている枕部材６の回動部がシャンプーボール４の首受け部４５の位置になるかを予め実験して得た値を記憶させておく変換テーブル７２と、座部用油圧シリンダ５７である座部移動手段７３と、背凭れ用油圧シリンダ５８である背凭れ起伏手段７４および図９に示すフローチャートに示す制御をコントロールＣＰＵ７５とから構成されている。
【００２９】
次に、前記した理美容用椅子の構造を前記した制御手段７によって制御するための動作を図９のフローチャートと共に説明する。
先ず、制御手段７は座部５３が基準位置にあるか否かを監視し、もし基準位置にないと判断すると座部５３を座部用油圧シリンダ５７の油を抜いて最後部である基準位置に戻す（ステップＳ１）。次いで、被洗髪者を椅子５に座らせ、該洗髪者の座高と枕部材６の頸部支持部６２との高さ位置とが一致している場合には、洗髪者が背凭れ起伏手段７４である背凭れ用シリンダ５８を操作することになるので、制御手段７は背凭れ起伏手段７４が操作されたか否かを監視し（ステップＳ２）、操作されたと判断するとステップＳ１１に進み背凭れ５６を伏倒させる。
【００３０】
前記ステップＳ２において所定の時間内に背凭れ起伏手段７４が操作されない場合に、すなわち、被洗髪者の首後ろ部と頸部支持部６２との高さ位置が一致していない場合には、枕部材６を引き上げることになるので、制御手段７は枕部材９を頸部支持部６２が首後ろ部に一致するように引き上げられ調整が行われたか否かを監視し（ステップＳ３）、調整が行われると枕高さ検出手段５９ａより移動量に応じた信号が出力される（ステップＳ４）。
【００３１】
そして、被洗髪者の首後ろ部と頸部支持部６２との位置合わせが終了した時点で、枕高さ検出手段５９ａよりの出力値から変換テーブル７２より座部の前進移動量を決定する（ステップＳ５）。次いで、前記移動量が変換テーブル７２より得られたならば、座部駆動手段７３である座部用シリンダ５７に油を供給して座部５３を前進させる（ステップＳ６）。
【００３２】
この座部５３の移動は座部位置検出手段７１によって監視されているので、前記変換テーブル７２によって得られた移動量と、座部５３の実際の移動量とを対比を行い（ステップＳ７）、制御手段７は前記対比による変換テーブル７２よりの移動量と座部５３の移動量が一致したか否かの監視を行い（ステップＳ８）、一致したと判断すると座部起動手段７１である座部用シリンダ５８への油の供給を停止する（ステップＳ９）。
【００３３】
そして、洗髪者は背凭れ駆動手段７４を操作して（ステップＳ１０）、背凭れ用シリンダ５８の油を抜いて枕部材６の頸部支持部６２がシャンプーボール４の首受け部４５に位置するまで背凭れ５６を伏倒させ、その後、洗髪作業を開始する。
【００３４】
なお、前記した動作説明において、背凭れを伏倒させるのを背凭れ伏倒手段（例えば、押しボタンスイッチ）を操作して行う場合について説明したが、座部５３の前進が終了した信号を制御手段７が受けたなら、自動的に背凭れ５６の伏倒を自動的に行うようにしてもよい。
【００３５】
また、背凭れ５６の伏倒停止位置は、枕部材６を引き上げた量によって枕部材６がシャンプーボール４の首受け部４５が当接する背凭れ５６の伏倒角度が変わるので、枕部材６を最低位置に引き下げた状態で枕部材６が前記首受け部４５に当接する背凭れ伏倒角度を予め設定しておき、枕部材６の引き上げ量が大きい場合には、背凭れ伏倒手段７４を洗髪者が操作して背凭れ５６の伏倒角度を調整することで、枕部材６を首受け部にフィットさせることができる。
【００３６】
また、他の方法としては、枕部材６の引き上げ量を検出したなら、前記した椅子５３の前方移動調整と同様な方法によって、前記引き上げ量に応じて背凭れ５６の伏倒角度を制御手段７によって行うようにしてもよい。
【実施例２】
【００３７】
次に、第２の実施例を図１０、図１１と共に説明する。この実施例は前記した実施例がステップ５４を有する前垂れが座部５３に対して固定式であるのに対し、前垂れを背凭れ５６の起伏に同期して伏倒するように構成したものである。なお、前記した実施例と同一符号は同一部分を示しているので、各部材の説明については省略する。
【００３８】
この実施例では、座部５３の先端側に前垂れ６０を伏倒自在に軸支し、背凭れ５６に連結板５６ｂを取付け、該連結板５６ｂと前垂れ５９との間にリンク６０ａで連結したことを特徴とするものである。
【００３９】
このように構成することで、背凭れ用油圧シリンダ５８に油を供給することで、背凭れ５６が起立状態となり、該背凭れ５６が起立状態になるとリンク６０ａを介して前垂れ６０が起立状態となり、また、背凭れ用油圧シリンダ５８に油を供給することで、背凭れ５６が伏倒状態となり、該背凭れ５６が伏倒状態になるとリンク６０ａを介して前垂れ６０が水平状態となる。
【００４０】
従って、被洗髪者が座部５３に腰掛けた状態においては、下肢は上肢に対して垂下された状態となっており、洗髪するために仰向けに寝た状態においては、ふくら脛部分が前垂れ６０の上に乗った状態となって安楽な姿勢で洗髪作業を受けることができる。なお、その他の動作は前記した第１の実施例と同様であるので、動作説明については省略する。
【実施例３】
【００４１】
次に、第３の実施例を図１２、図１３と共に説明する。この実施例は前記した第１および第２の実施例が枕部材６を上下動した場合に、座部５３を移動させることで位置合わせしたのに対し、シャンプーボール４を補助椅子部材３に対して移動可能となし、該シャンプーボール４を移動させることで、あるいは、座部５３とシャンプーボール４とを移動させることで位置合わせができるようにしたものである。なお、前記した第１の実施例と同一符号は同一部分を示しているので、各部材の説明については省略する。また、図面には昇降手段と基台の記載は省略してある。
【００４２】
この実施例では、補助椅子部材３の基板３１に左右それぞれ２個のコロ３１ａを取付け、該コロ３１ａにガイドされ前後動可能に取付けられたガイド部材４６にシャンプーボール４を取付ける。また、一端が前記基板３１に軸支され他端が前記ガイド部材４６に軸支され、シャンプーボール４を前後動させるためのボール用油圧シリンダ４７を取付けたものである。
【００４３】
このように構成することで、前記した第１の実施例で説明した動作において枕部材６を引き出し、該引き出した移動量に応じて座部５３を移動させたのに対して、この実施例においては、座部５３を固定した実施例でボール用油圧シリンダ４７に油を注入して図１３に示すようにシャンプーボール４を後方（図面における右方向）に移動することで、枕部材６の頸部支持部６２をシャンプーボール４の首受け部４５に位置させることができる。
【００４４】
また、この実施例においては、座部５３も移動可能であることから、枕部材６の引き上げた移動量に対して前記第１の実施例における座部５３の移動と、この実施例におけるシャンプーボール４の移動をそれぞれ半分の移動量で同時に行うことで、枕部材６とシャンプーボール４との間隔が所定の間隔に達するまでの時間が短縮され、従って、洗髪作業を行うまでの時間を短縮することが可能となるものである。
【図面の簡単な説明】
【００４５】
【図１】本発明の理美容用椅子の第１の実施例を示す被洗髪者が椅子に着座した状態の側面図である。
【図２】同上の枕部材を引き上げた状態の側面図である。
【図３】同上において座部を前進させた状態の側面図である。
【図４】同上において背凭れを伏倒し洗髪可能状態を示す側面図である。
【図５】シャンプーボールの部分を示す斜視図である。
【図６】同上の一部拡大断面図である。
【図７】（ａ）は枕部材の側面図、（ｂ）は枕部材の正面図、（ｃ）は枕部材の底面図である。
【図８】座部を前進させるための制御手段を示すシステムブロック図である。
【図９】同上の制御手段による動作を説明するためのフローチャートである。
【図１０】第２の実施例の被洗髪者が着座する前の状態を示す側面図である。
【図１１】同上の洗髪可能状態を示す側面図である。
【図１２】第３の実施例の被洗髪者が着座する前の状態を示す側面図である。
【図１３】同上の洗髪可能状態を示す側面図である。
【符号の説明】
【００４６】
１          台座
２          昇降手段
３          補助椅子部材
４          シャンプーボール
５          椅子
５３        座部
５６        背凭れ部
６          枕部材
６２        頸部支持部
６３        頭部支持部
７          制御手段
【図１】
2006061521.tif 000003
【図２】
2006061521.tif 000004
【図３】
2006061521.tif 000005
【図４】
2006061521.tif 000006
【図５】
2006061521.tif 000007
【図６】
2006061521.tif 000008
【図７】
2006061521.tif 000009
【図８】
2006061521.tif 000010
【図９】
2006061521.tif 000011
【図１０】
2006061521.tif 000012
【図１１】
2006061521.tif 000013
【図１２】
2006061521.tif 000014
【図１３】
2006061521.tif 000015